(57)【要約】【課題】内部に格納するプリント基板が割れにくい電装ボックスを提供する。【解決手段】発熱部品４を搭載したプリント基板３を内部に格納する電装ボックスであって、発熱部品４に放熱板５が取り付けられており、放熱板５と前記電装ボックスとが固定されていることを特徴とする電装ボックス。例えば、放熱板５に設けられるツバ５Ａ及び５Ｂと前記電装ボックスの本体に設けられるボス６Ａ、６Ｂとネジ止めすることにより、放熱板５と前記電装ボックスとを固定する。【選択図】図１
2008288478.tif 000002
【特許請求の範囲】
【請求項１】
発熱部品を搭載したプリント基板を内部に格納する電装ボックスであって、
前記発熱部品に放熱部材が取り付けられており、
前記放熱部材と前記電装ボックスとが固定されていることを特徴とする電装ボックス。
【請求項２】
前記放熱部材と前記電装ボックスとがネジ止めによって固定されている請求項１に記載の電装ボックス。
【請求項３】
前記電装ボックスが、ボックス本体と蓋体とによって構成され、
ネジ貫通穴を有するツバが前記放熱部材に設けられ、前記ネジ貫通穴に対応するネジ穴を有するボスが前記ボックス本体に設けられ、前記ツバと前記ボスとがネジ止めによって固定されている請求項２に記載の電装ボックス。
【請求項４】
前記電装ボックスが、ボックス本体と蓋体とによって構成され、
ネジ穴を有するツバが前記放熱部材に設けられ、前記ネジ穴に対応するネジ貫通穴を有するボスが前記蓋体に設けられ、前記ツバと前記ボスとがネジ止めによって固定されている請求項２に記載の電装ボックス。
【請求項５】
前記発熱部品と前記放熱部材とが、前記プリント基板の端部近傍に位置する請求項３または請求項４に記載の電装ボックス。
【請求項６】
請求項１〜５のいずれかに記載の電装ボックスを備える事を特徴とする電気機器。
【発明の詳細な説明】
【技術分野】
【０００１】
本発明は、プリント基板を内部に格納する電装ボックス及びそれを備えた電気機器に関する。
【背景技術】
【０００２】
内部に格納するプリント基板の出し入れを容易にするためにスライド溝が設けられた電装ボックスが、種々の電気機器において広く用いられている。かかる電装ボックスの一構成例を図４に示す。図４に示す電装ボックスは、ボックス本体１と蓋体２とによって構成される。蓋体２の四隅には蓋体固定用ネジ貫通穴が設けられ、蓋体２の蓋体固定用ネジ貫通穴に対応するボックス本体１の箇所には蓋体固定用ネジ穴が設けられ、蓋体２が四箇所でボックス本体１にネジ止めされる。また、ボックス本体１の側面にはスライド溝１Ａ及び１Ｂが形成されている。スライド溝１Ａ及び１Ｂに沿ってプリント基板（不図示）がスライド可能である。プリント基板をスライド溝１Ａ及び１Ｂに沿ってボックス本体１に差し込んでボックス本体１の内部に格納した後、蓋体２を四箇所でボックス本体１にネジ止めすることにより、プリント基板を内部に格納する電装ボックスが完成する。
【０００３】
ここで、図４に示す電装ボックスの内部に格納されるプリント基板について図５を参照して説明する。図５は、図４に示す電装ボックスの内部に格納されるプリント基板の一例を示す概略部分斜視図である。
【０００４】
三端子レギュレータや電源ＩＣなどの発熱部品４（図５においては一例として三端子レギュレータを図示している）を含む複数の電装部品がプリント基板３に搭載される。発熱部品４のリード端子は、プリント基板３を厚さ方向に貫通し、プリント基板３の下面においてプリント基板３に半田付けされる。発熱部品４には放熱板５がネジ止めにより取り付けられており、発熱部品４と放熱板５とは熱的に結合している。そして、放熱板５は、例えばアルミニウムまたはその合金などの熱伝導率の高い金属からなり、空気との接触面積を大きくするための放熱フィンを有している。したがって、発熱部品４において発生する熱は放熱板５を介して空気中に放出され、これにより発熱部品４の温度上昇が抑えられている。
【０００５】
放熱板５は、その底部がプリント基板３に固着されている形態、及び／又は、発熱部品４を介して間接的にプリント基板３に固定されている形態をとり得る。
【特許文献１】特開平６−１７７５５４号公報
【発明の開示】
【発明が解決しようとする課題】
【０００６】
上述した従来の電装ボックスでは、プリント基板が電装ボックスのスライド溝に沿ってボックス本体に差し込まれている形態であり、プリント基板のスライドを可能とするために、プリント基板と電装ボックスのスライド溝との間にクリアランスが設けられていることから、電装ボックスに振動が加わったときや電装ボックスが落下した際に、電装ボックスの内部に格納しているプリント基板が割れやすいという問題があった。
【０００７】
なお、特許文献１には、放熱板とプリント基板の固定を確実・強固になす固定方法が開示されているが、かかる固定方法を採用しても上述した電装ボックスの内部に格納しているプリント基板が割れやすいという問題は解決しない。
【０００８】
本発明は、上記の状況に鑑み、内部に格納するプリント基板が割れにくい電装ボックス及びそれを備えた電気機器を提供することを目的とする。
【課題を解決するための手段】
【０００９】
上記目的を達成するために本発明に係る電装ボックスは、発熱部品を搭載したプリント基板を内部に格納する電装ボックスであって、前記発熱部品に放熱部材が取り付けられており、前記放熱部材と前記電装ボックスとが固定されている構成とする。
【００１０】
このような構成によると、前記放熱部材と前記電装ボックスとが固定されており、一方で、前記放熱部材は少なくとも前記発熱部品を介して間接的に（前記放熱部材の底部が前記プリント基板に固着される場合には直接的にも）前記プリント基板に固定されるので、結果的に、前記プリント基板と前記電装ボックスとが前記放熱部材を介して固定される。この固定により、前記電装ボックスに振動が加わったときや前記電装ボックスが落下した際に前記プリント基板が割れにくくなる。
【００１１】
また、上記構成の電装ボックスにおいて、前記放熱部材と前記電装ボックスとをネジ止めによって固定してもよい。これにより、前記放熱部材と前記電装ボックスとの固定が簡単な構成で実現できるとともに、前記プリント基板を電装ボックスから取り出す場合に前記放熱部材と前記電装ボックスとの固定を容易に解除することができる。
【００１２】
なお、上記構成の電装ボックスにおいて、前記放熱部材と前記電装ボックスとをネジ止めによって固定する場合、例えば、前記電装ボックスが、ボックス本体と蓋体とによって構成され、ネジ貫通穴を有するツバが前記放熱部材に設けられ、前記ネジ貫通穴に対応するネジ穴を有するボスが前記ボックス本体に設けられ、前記ツバと前記ボスとがネジ止めによって固定されてもよく、また、例えば、前記電装ボックスが、ボックス本体と蓋体とによって構成され、ネジ穴を有するツバが前記放熱部材に設けられ、前記ネジ穴に対応するネジ貫通穴を有するボスが前記蓋体に設けられ、前記ツバと前記ボスとがネジ止めによって固定されてもよい。
【００１３】
また、上記のように前記ボックス本体または前記蓋体にボスを設ける構成の電装ボックスにおいて、前記発熱部品と前記放熱部材とが、前記プリント基板の端部近傍に位置することが好ましい。
【００１４】
また、上記目的を達成するために本発明に係る電気機器は、上記いずれかの構成の電装ボックスを備える構成にしている。
【発明の効果】
【００１５】
本発明によると、電装ボックスとその電装ボックスの内部に格納されるプリント基板とが放熱部材を介して固定されるので、電装ボックスに振動が加わったときや電装ボックスが落下した際に電装ボックスの内部に格納されるプリント基板が割れにくくなる。
【発明を実施するための最良の形態】
【００１６】
本発明の実施形態について図面を参照して以下に説明する。本発明に係る電装ボックスの内部に格納されるプリント基板について図１を参照して説明する。図１は、本発明に係る電装ボックスの内部に格納されるプリント基板の一例を示す概略部分斜視図である。
【００１７】
三端子レギュレータや電源ＩＣなどの発熱部品４（図１においては一例として三端子レギュレータを図示している）を含む複数の電装部品がプリント基板３に搭載される。発熱部品４のリード端子は、プリント基板３を厚さ方向に貫通し、プリント基板３の下面においてプリント基板３に半田付けされる。発熱部品４には放熱板５がネジ止めにより取り付けられており、発熱部品４と放熱板５とは熱的に結合している。そして、放熱板５は、例えばアルミニウムまたはその合金などの熱伝導率の高い金属からなり、空気との接触面積を大きくするための放熱フィンを有している。したがって、発熱部品４において発生する熱は放熱板５を介して空気中に放出され、これにより発熱部品４の温度上昇が抑えられている。
【００１８】
放熱板５は、その底部がプリント基板３に固着されている形態、及び／又は、発熱部品４を介して間接的にプリント基板３に固定されている形態をとり得る。
【００１９】
また、放熱板５の側部にはネジ貫通穴を有するツバ５Ａ及び５Ｂが設けられている。図１に示すプリント基板を内部に格納する本発明に係る電装ボックスは、図４に示す電装ボックスを変形した構成であり、図４に示す電装ボックスにおいてボックス本体１にボス６Ａ及び６Ｂを新たに設け、ボス６Ａ及び６Ｂがボックス本体１の背面（蓋体２との対向面）から突出するようにしている。さらに、ボス６Ａはツバ５Ａのネジ貫通穴に対応するネジ穴を有し、ボス６Ｂはツバ５Ｂのネジ貫通穴に対応するネジ穴を有する。
【００２０】
図１に示す複数の電装部品を搭載したプリント基板３をスライド溝１Ａ及び１Ｂに沿ってボックス本体１に差し込んでボックス本体１の内部に格納し、放熱板５に設けられるツバ５Ａ及び５Ｂとボックス本体１に設けられるボス６Ａ及び６Ｂとをネジ止めにより固定した後、蓋体２を四箇所でボックス本体１にネジ止めすることにより、図１に示す複数の電装部品を搭載したプリント基板３を内部に格納する本発明に係る電装ボックスが完成する。この完成した電装ボックスの概略側断面を図２に示す。
【００２１】
図２に示す本発明に係る電装ボックスでは、放熱板５と電装ボックスのボックス本体１とが固定されており、一方で、放熱板５は少なくとも発熱部品４を介して間接的に（放熱板５の底部がプリント基板３に固着される場合には直接的にも）プリント基板３に固定されるので、結果的に、プリント基板３と電装ボックスのボックス本体１とが放熱板５を介して固定される。この固定により、電装ボックスに振動が加わったときや電装ボックスが落下した際にプリント基板が割れにくくなる。
【００２２】
また、放熱板５にツバ５Ａ及び５Ｂを新たに設けることは、放熱板５の表面積を大きくし、放熱板５の放熱性能を向上させることになる。したがって、新たに設けたツバ５Ａ及び５Ｂによる表面積の増加分だけ放熱板５の他の部分を削減すると、放熱板５全体のサイズ及び放熱板５の放熱性能をツバ５Ａ及び５Ｂを設けない場合と略同等にすることができる。これに対して、新たに設けたツバ５Ａ及び５Ｂによる表面積の増加分だけ放熱板５の他の部分を削減しなければ、ツバ５Ａ及び５Ｂを設けない場合に比べて放熱板５全体のサイズは増大するが、放熱性能を向上させることができる。
【００２３】
また、図２に示す本発明に係る電装ボックスでは、放熱板５に設けられるツバ５Ａ及び５Ｂと電装ボックスのボックス本体１に設けられるボス６Ａ及び６Ｂとがネジ止めにより熱的にも結合するので、ボス６Ａ及び６Ｂを含む電装ボックスの熱伝導率が高ければ、ボス６Ａ及び６Ｂを含む電装ボックスも放熱部材として機能する。これにより、放熱性が向上するので放熱板５のサイズを小さくすることができる。
【００２４】
また、放熱板５は電装ボックスのボックス本体１に固定されるので、プリント基板割れの問題を解決できる範囲で、放熱板５とプリント基板３との固定を緩和することも考えられる。例えば、放熱板５の底部全体がプリント基板３に固着していたものを、放熱板５の底部の少なくとも一部がプリント基板３から浮いているように変更し、その部分に対応するプリント基板領域に他の電装部品を実装することにより、プリント基板３の実装密度を高くすることができる。
【００２５】
上述した図２に示す本発明に係る電装ボックスでは、ボックス本体１にボス６Ａ及び６Ｂを設けたが、図３に示すように蓋体２にボス６Ａ及び６Ｂを設けるようにしてもよい。蓋体２にボス６Ａ及び６Ｂを設ける場合、ボス６Ａ及び６Ｂがネジ穴ではなくネジ貫通穴を有するようにし、放熱板５のツバ５Ａ及び５Ｂがネジ貫通穴ではなくネジ穴を有するようにし、蓋体２を四箇所でボックス本体１にネジ止めする際に、放熱板５に設けられるツバ５Ａ及び５Ｂと蓋体２に設けられるボス６Ａ及び６Ｂとのネジ止めも行うようにする。図３に示す本発明に係る電装ボックスは、図２に示す本発明に係る電装ボックスと同様の効果を奏する。
【００２６】
なお、本発明に係る電装ボックスは、種々の電気機器に用いることができる。例えば、電装ボックスを空気調和機の室内機に設ける場合、室内機が室内にどのように設置されるか分からないので、室内機の奥行き方向にプリント基板がスライドするように電装ボックスを空気調和機の室内機に設けておくことが望ましい。
【００２７】
また、電装ボックスの形状は、電気機器内の電装ボックス設置スペースの形状に合わせて適宜設計すればよい。
【００２８】
また、放熱部材である放熱板と電装ボックスとのネジ止めによる固定は、放熱板にツバを設け、電装ボックスにボスを設ける形態に限定されることはなく、例えば、ツバを設けず放熱板本体のサイズを電装ボックスの側面方向に拡大し、放熱板本体がネジ穴あるいはネジ貫通穴を有するようにしてもよい。さらに、放熱部材である放熱板と電装ボックスとの固定は、ネジ止めに限定される事はなく、例えば嵌合などにより固定されてもよい。ただし、プリント基板を電装ボックスから取り出す必要が生じた場合にその取り出しの妨げにならないように、放熱部材と電装ボックスとの固定が容易に解除することができる固定方法であることが望ましい。
【００２９】
また、電装ボックスのボックス本体と蓋体との固定は、ネジ止めに限定される事はなく、例えば嵌合などにより固定されてよい。
【００３０】
また、電装ボックスのボックス本体や蓋体には放熱用の小孔やスリット等が形成されていてもよい。
【００３１】
また、プリント基板と電装ボックスとが直接固定されている電装ボックスにも本発明を適用することができる。プリント基板と電装ボックスとが直接固定されている場合、元々プリント基板は割れにくくなっているが、本発明を適用し、放熱部材と前記電装ボックスとが固定される構成にすることで、より一層プリント基板が割れにくくなる。
【００３２】
また、発熱部品４と放熱板５は、プリント基板の端部近傍に位置させることが好ましい。例えば、図４のような電装ボックスの場合、プリント基板のスライド方向の奥側端部、または、手前側端部（蓋側端部）近傍に発熱部品４と放熱板５を位置させればよい。このようにすることで、電装ボックスのボックス本体や蓋体に設けられるボスの長さを短くすることができる。また、ボスがプリント基板の上空を通過することにより、高さのある電装部品をプリント基板に取り付ける際の邪魔となる可能性を低減することができる。
【図面の簡単な説明】
【００３３】
【図１】は、本発明に係る電装ボックスの内部に格納されるプリント基板の一例の概略部分斜視図である。
【図２】は、図１に示すプリント基板を内部に格納する本発明に係る電装ボックスの概略側断面図である。
【図３】は、図２とは異なる形態の本発明に係る電装ボックスの概略側断面図である。
【図４】は、従来の電装ボックスのボックス本体と蓋体の概略斜視図である。
【図５】は、図４に示す電装ボックスの内部に格納されるプリント基板の一例を示す概略部分斜視図である。
【符号の説明】
【００３４】
１    ボックス本体
１Ａ、１Ｂ    スライド溝
２    蓋体
３    プリント基板
４    発熱部品
５    放熱板
５Ａ、５Ｂ    ツバ
６Ａ、６Ｂ    ボス
【図１】
2008288478.tif 000003
【図２】
2008288478.tif 000004
【図３】
2008288478.tif 000005
【図４】
2008288478.tif 000006
【図５】
2008288478.tif 000007